(57)【要約】【課題】不通路線、不通区間等の運行情報がある場合に、不通路線、不通区間を除外した経路を検索し、さらに運行情報を付加した乗換案内情報を作成し、提供する路線検索装置及び路線検索方法を提供する。【解決手段】乗換案内サーバ１は、出発地、到着地等の入力された条件に従って、予め交通機関名、路線名、駅名、時刻表が記録された乗換情報データベース８を検索し、検索結果から交通機関の乗換案内情報を作成し、通知する。運行情報受信部６は交通機関から不通路線および不通区間を含む運行情報を受信し、運行情報更新部７は運行情報に該当する乗換情報に記録された路線、区間が検索対象外であることを乗換情報データベース８に記録する。乗換経路検索部１０は入力された条件が運行情報に関連する場合、乗換情報データベース８から運行情報に該当する区間を除く経路と運行情報を抽出し、乗換情報作成部１１は運行情報を付加した乗換案内情報を作成する。【選択図】　図１
2004058734.tif 000002
【特許請求の範囲】
【請求項１】
入力された検索条件に従って、交通機関名、路線名、駅名、時刻表が記録されたデータベースを検索し、交通機関の経路情報を作成し、通知する路線検索装置であって、
前記交通機関から少なくとも不通路線および不通区間を含む運行情報を受信すると、前記データベースに記録された路線、区間のうち、当該運行情報に該当する路線、区間が検索対象外であることを記録する運行情報記録手段を備えることを特徴とする路線検索装置。
【請求項２】
前記運行情報記録手段は、前記交通機関から少なくとも不通路線解除および不通区間解除を含む運行情報を受信すると、前記データベースに記録された路線、区間のうち、当該運行情報に該当する路線、区間が検索対象であることを記録することを特徴とする請求項１に記載の路線検索装置。
【請求項３】
前記検索条件に従って経路を検索する過程において、前記不通路線および不通区間を検出した場合、検出された当該不通路線および不通区間を設定する基となった前記運行情報を抽出する運行情報抽出手段と、
検索の結果、抽出された経路と、前記運行情報抽出手段によって抽出された当該運行情報とから成る経路情報を作成する経路情報作成手段と、
を備えることを特徴とする請求項１または請求項２に記載の路線検索装置。
【請求項４】
入力された検索条件に従って、交通機関名、路線名、駅名、時刻表が記録されたデータベースを検索し、交通機関の経路情報を作成し、通知する路線検索方法であって、
前記交通機関から不通路線および不通区間を含む運行情報を受信すると、前記データベースに記録された路線、区間のうち、当該運行情報に該当する路線、区間が検索対象外であることを記録する運行情報記録工程を有することを特徴とする路線検索方法。
【請求項５】
前記運行情報記録工程は、前記交通機関から不通路線解除および不通区間解除を含む運行情報を受信すると、前記データベースに記録された路線、区間のうち、当該運行情報に該当する路線、区間が検索対象であることを記録することを特徴とする請求項４に記載の路線検索方法。
【請求項６】
前記検索条件に従って経路を検索する過程において、前記不通路線および不通区間を検出した場合、検出された当該不通路線および不通区間を設定する基となった前記運行情報を抽出する運行情報抽出工程と、
検索の結果、抽出された経路と、前記運行情報抽出工程によって抽出された当該運行情報とから成る経路情報を作成する経路情報作成工程と、
を有することを特徴とする請求項４または請求項５に記載の路線検索方法。
【発明の詳細な説明】
【０００１】
【発明の属する技術分野】
本発明は、不通路線や不通区間を含む運行情報を付加した経路情報を通知する路線検索装置および路線検索方法に関する。
【０００２】
【従来の技術】
近年、コンピュータ、ＰＤＡ、携帯電話等の情報通信端末の普及に伴い、今まで時刻表等で調べていた情報を簡易に調べることが可能になっている。
【０００３】
例えば、携帯電話から、出発地、目的地、出発予定時刻等を入力することにより、最短時間（或いは最小金額、最小乗換回数）で移動できる便や、出発地から到着地までの利用可能な路線（経路）や乗換駅の情報等からなる乗換案内情報を取得することができる。
【０００４】
【発明が解決しようとする課題】
しかしながら、従来の乗換案内情報においては、例えば、電車の事故や故障等で通常のダイヤで運行されていない場合、そういった交通機関の運行状況に関する情報（運行情報）は、サービス利用者に提供される乗換案内情報には反映されていない。
【０００５】
従って、サービス利用者は、一旦乗換案内情報を取得してから、必要に応じて運行情報を確認し、乗換で利用する路線や駅が正常に運行しているかどうか、確認しなければならない。このとき、サービス利用者が地理に不案内な場合、乗換で利用する駅が運行情報とどのような関連を持つのか分からないこともあり、的確な情報を提供するには至っていなかった。
【０００６】
本発明は上記事情に鑑み、不通路線、不通区間等の運行情報がある場合に、不通路線、不通区間を除外した経路を検索し、さらに運行情報を付加した乗換案内情報を作成し、提供する路線検索装置および路線検索方法を提供することを目的とする。
【０００７】
【課題を解決するための手段】
上記目的を達成するために、請求項１に記載の発明である路線検索装置は、入力された検索条件に従って、交通機関名、路線名、駅名、時刻表が記録されたデータベースを検索し、交通機関の経路情報を作成し、通知する路線検索装置であって、前記交通機関から少なくとも不通路線および不通区間を含む運行情報を受信すると、前記データベースに記録された路線、区間のうち、当該運行情報に該当する路線、区間が検索対象外であることを記録する運行情報記録手段を備えることを特徴とする。
【０００８】
ここで経路情報とは、出発地から到着地に至る経路での利用可能な路線、乗り継ぎ駅、便名、出発時刻、到着時刻、乗り継ぎ時刻、所要時間、料金等の情報を含む。
【０００９】
また、運行情報とは、少なくとも交通機関の不通路線、不通区間開始地点（駅名）、不通区間終了地点（駅名）、不通路線、不通区間の設定または設定解除の指令の情報を含み、さらに不通の状態が始まった時刻、不通の状態が終了した時刻、不通の状態の詳細な説明文等の情報を含む。
【００１０】
請求項１の発明によれば、交通機関から不通路線、不通区間等の運行情報が通知された場合、予め用意された乗換情報に対して、その運行情報に該当する情報が検索対象外であることが設定される。従って、通常の検索処理を行うと不通路線、不通区間を除外した経路が抽出される。
【００１１】
また、請求項２に記載の発明である路線検索装置は、請求項１に記載の乗換路線検索装置であって、前記運行情報記録手段は、前記交通機関から少なくとも不通路線解除および不通区間解除を含む運行情報を受信すると、前記データベースに記録された路線、区間のうち、当該運行情報に該当する路線、区間が検索対象であることを記録することを特徴とする。
【００１２】
請求項２の発明によれば、交通機関から不通路線、不通区間解除の運行情報が通知された場合、その運行情報に該当する情報が再び検索対象として設定される。従って、直ちに通常の経路情報を、サービス利用者に提供することが可能となる。
【００１３】
また請求項３に記載の発明である路線検索装置は、請求項１または請求項２に記載の路線検索装置であって、前記検索条件に従って経路を検索する過程において、前記不通路線および不通区間を検出した場合、検出された当該不通路線および不通区間を設定する基となった前記運行情報を抽出する運行情報抽出手段と、検索の結果、抽出された経路と、前記運行情報抽出手段によって抽出された当該運行情報とから成る経路情報を作成する経路情報作成手段とを備えることを特徴とする。
【００１４】
請求項３の発明によれば、経路情報を作成する際には、検索条件に従って経路を検索する際に、前記不通路線および不通区間を検出した場合、検索結果にその不通路線、不通区間を設定する基となった運行情報を付加した経路情報を作成する。従って、検索経路に運行情報を付加した経路情報を、サービス利用者に提供することが可能となる。
【００１５】
また請求項４に記載の発明である路線検索方法は、入力された検索条件に従って、交通機関名、路線名、駅名、時刻表が記録されたデータベースを検索し、交通機関の経路情報を作成し、通知する路線検索方法であって、前記交通機関から不通路線および不通区間を含む運行情報を受信すると、前記データベースに記録された路線、区間のうち、当該運行情報に該当する路線、区間が検索対象外であることを記録する運行情報記録工程を有することを特徴とする。
【００１６】
請求項４の発明によれば、交通機関から不通路線、不通区間等の運行情報が通知された場合、予め用意された乗換情報に対して、その運行情報に該当する情報が検索対象外であることが設定される。従って、通常の検索処理を行うと不通路線、不通区間を除外した経路が抽出される。
【００１７】
また請求項５に記載の発明である路線検索方法は、請求項４に記載の路線検索方法であって、前記運行情報記録工程は、前記交通機関から不通路線解除および不通区間解除を含む運行情報を受信すると、前記データベースに記録された路線、区間のうち、当該運行情報に該当する路線、区間が検索対象であることを記録することを特徴とする。
【００１８】
請求項５の発明によれば、交通機関から不通路線、不通区間解除の運行情報が通知された場合、その運行情報に該当する情報が再び検索対象として設定される。従って、直ちに通常の経路情報を、サービス利用者に提供することが可能となる。
【００１９】
また請求項６に記載の発明である路線検索方法は、請求項４または請求項５に記載の路線検索方法であって、前記検索条件に従って経路を検索する過程において、前記不通路線および不通区間を検出した場合、検出された当該不通路線および不通区間を設定する基となった前記運行情報を抽出する運行情報抽出工程と、検索の結果、抽出された経路と、前記運行情報抽出工程によって抽出された当該運行情報とから成る経路情報を作成する経路情報作成工程とを有することを特徴とする。
【００２０】
請求項６の発明によれば、経路情報を作成する際には、検索条件に従って経路を検索する際に、前記不通路線および不通区間を検出した場合、検索結果にその不通路線、不通区間を設定する基となった運行情報を付加した経路情報を作成する。従って、検索経路に運行情報を付加した経路情報を、サービス利用者に提供することが可能となる。
【００２１】
【発明の実施の形態】
本発明の実施形態を、図１〜図１３に基づいて説明する。
【００２２】
図１は、乗換案内サーバ１の機能ブロック図である。乗換案内サーバ１は、通信制御部５、運行情報受信部６、運行情報更新部７、乗換条件受信部９、乗換経路検索部１０、乗換情報作成部１１、および乗換情報データベース８とから構成され、図２に示すように、ネットワーク４を通じて、運行情報を提供する運行情報提供端末２、乗換案内サーバ１に乗換案内情報を要求するユーザ端末３ａ、３ｂ、３ｃ…が接続されている。
【００２３】
通信制御部５は、ネットワーク４に接続されており、運行情報提供端末２から送信される運行情報を運行情報受信部６に転送する機能を有し、またユーザ端末３から送信される乗換案内情報の要求（検索条件を含む）を乗換条件受信部９に転送し、検索条件に従って作成された乗換案内情報を要求元のユーザ端末３に送信する機能を有する。
【００２４】
運行情報受信部６は、通信制御部５から転送された運行情報が、不通路線および不通区間の設定であるか、解除であるかを判定し、運行情報から路線名、駅名等の所定の情報を抽出する機能を有する。また、抽出された情報と共に運行情報更新部７に不通路線および不通区間の設定、または解除を指示する機能を有する。
【００２５】
運行情報更新部７は、運行情報受信部６から不通路線および不通区間の設定、または解除を指示されると、乗換情報データベース８に、その運行情報を登録し、予め登録されている路線、駅名等、運行情報に該当する情報に対して、検索対象から除外、または除外の解除を設定する機能を有する。運行情報更新部７が乗換情報データベース８に対して不通路線および不通区間の設定を行うと、後述する乗換経路検索部１０は、その路線、区間を除外して乗換情報データベース８の検索を行う。また、運行情報更新部７が不通路線および不通区間の解除を設定すると、運行情報が削除され、不通路線、不通区間であった情報は、検索可能な状態となる。
【００２６】
乗換条件受信部９は、通信制御部５から転送される要求から、出発駅、到着駅、経由駅、出発時間、出発日時、便名等の検索条件を抽出し、乗換経路検索部１０に転送する機能を有する。
【００２７】
乗換経路検索部１０は、乗換条件受信部９から転送される検索条件に従って、乗換情報データベース８を検索する機能を有する。また、検索途中で不通路線、不通区間と設定されている路線や駅名を検出した場合、その路線や駅を不通路線、不通区間と設定する基となった運行情報を取得する機能を有する。
【００２８】
乗換情報作成部１１は、乗換経路検索部１０が検索した結果を、所定の表示優先順位で並び替えて乗換案内情報を作成し、さらに運行情報があれば、その運行情報を乗換案内情報に付加し、通信制御部５に転送する機能を有する。なお、表示優先順位は、例えば、所要時間、料金といった情報を元に決定される。
【００２９】
乗換情報データベース８は、交通機関名、路線名、駅名、時刻表等が記録されており、さらに、異なる路線の乗り継ぎを行える駅や乗り継ぎに必要な所要時間も合わせて記録されている。また、運行情報更新部７によって、運行情報や不通路線、不通区間の設定が記録される。
【００３０】
次に、運行情報更新部７が乗換情報データベース８に不通路線、不通区間の設定、または設定解除を行う手順について、図３〜図５の画面表示例、および図６のフローチャートを用いて説明する。
【００３１】
鉄道会社等に設置される運行情報提供端末２から、所定のＵＲＬに接続すると、運行情報提供端末２に図３に示すような画面が表示されるので、まず、不通となっている路線を選択し、実行ボタンを選択する。次に、図４に示すような画面が表示されるので、不通となっている区間始点と区間終点を指定し、決定ボタンを選択すると、図５に示すような画面が表示され、運行情報として運行情報提供端末２から乗換案内サーバ１に設定した情報が送信される。図５では、東海道線の平塚〜小田原間が不通という情報が運行情報として設定されている。なお、解除の場合は、図５に示すように不通区間解除を設定し、実行ボタンを選択すると、運行情報として不通区間解除の情報が送信される。
【００３２】
乗換案内サーバ１に送信された運行情報は、運行情報受信部６、および運行情報更新部７によって処理される。
【００３３】
運行情報受信部６は、通信制御部５から運行情報を受信すると（ステップＳ０１）、まず、受信した運行情報に記述されている情報が、不通路線および不通区間の設定であるか、解除であるかを判定し、運行情報から路線名、駅名等の所定の情報を抽出する（ステップＳ０２）。
【００３４】
次に、運行情報更新部７は、運行情報受信部６から不通路線および不通区間の設定、または解除を指示されると、乗換情報データベース８に、その運行情報を登録し、予め登録されている路線、駅名等に対して、検索対象から除外、または除外の解除を設定する（ステップＳ０３）。また、その他の情報、不通の状態が始まった時刻、不通の状態が終了した時刻、不通の状態の詳細な説明文等もあわせて乗換情報データベース８に保存される。
【００３５】
次に、乗換案内情報の作成手順について、図７のフローチャート、および図８〜図１３の画面表示例を用いて説明する。
【００３６】
通信制御部５は、ユーザ端末３から検索条件を含む乗換案内情報の要求を受信すると、乗換条件受信部９に転送する。乗換条件受信部９は、通信制御部５から転送される要求から、出発駅、到着駅、経由駅、出発時間、出発日時、便名等の検索条件を抽出し、乗換経路検索部１０に転送する（ステップＳ１１）。
【００３７】
次に、乗換経路検索部１０は、乗換条件受信部９から転送される検索条件に従って、乗換情報データベース８を検索し（ステップＳ１２）、乗換経路を作成する。この時、検索途中で不通路線、不通区間と設定されている路線や駅名を検出しても、不通路線、不通区間の設定がされている情報は、検索対象外となっており、他の経路を検索するので、作成される乗換経路には初めから不通路線、不通区間は含まれないことになる。また、検索途中で不通路線、不通区間と設定されている路線や駅名を検出した場合は、その検出した不通路線、不通区間を記録する。
【００３８】
次に、乗換経路検索部１０は、ステップＳ１２において、検索途中で不通路線、不通区間を検出したか判定し（ステップＳ１３）、不通路線、不通区間を検出していなかった場合は、検索結果を乗換情報作成部１１に転送する。乗換情報作成部１１は、検索結果が複数あれば所定の表示優先順位で並び替え、さらに、ユーザ端末３の表示形態に合わせて乗換案内情報を作成し、通信制御部５へ転送する（ステップＳ１４）。
【００３９】
また、不通路線、不通区間を検出していた場合は、その路線や駅を不通路線、不通区間と設定する基となった運行情報を抽出し、検索結果とあわせて乗換情報作成部１１に転送する。乗換情報作成部１１は、検索結果を所定の表示優先順位で並び替え、さらに、ユーザ端末３の表示形態に合わせて運行情報を含んだ乗換案内情報を作成し、通信制御部５へ転送する（ステップＳ１５）。
【００４０】
通信制御部５は、転送された乗換案内情報をユーザ端末３へ送信する（ステップＳ１６）。図８はユーザ端末３ａに表示される乗換案内情報の表示例である。通常ダイヤで運行されている場合、図８（ａ）に示すような情報が表示されるが、不通路線、不通区間等の運行情報がある場合は、図９（ｂ）に示すように、例えば、「ＪＲ東海道線　平塚〜小田原間で運転見合わせ」（画面上部）と表示され、さらに不通区間を通らない代替経路が表示される。
【００４１】
図１０および図１１はユーザ端末３ｂの表示例であり、図１０（ｃ）は運行情報がない場合の乗換案内情報の表示例、図１１（ｄ）は運行情報がある場合の乗換案内情報の表示例である。図１２および図１３はユーザ端末３ｃの表示例であり、図１２（ｅ）は運行情報がない場合の乗換案内情報の表示例、図１２（ｆ）は運行情報がある場合の乗換案内情報の表示例である。また、図１３（ｇ）は、図１２（ｆ）の詳細な乗換案内情報の表示例である。このように、同じ検索条件でも、ユーザ端末３の種類によって表示形態を変えることで、適切に乗換案内情報を提供することができる。
【００４２】
【発明の効果】
以上説明したように、本発明によれば、交通機関から不通路線、不通区間等の運行情報が通知された場合、予め用意されたデータベースに対して、その運行情報に該当する情報が検索対象外であることが設定される。また、経路を検索する過程において、検索途中で不通路線、不通区間を検出した場合には、検索結果に運行情報を付加した経路情報を作成する。従って、検索経路から不通路線、不通区間が除外され、かつ、不通路線、不通区間等の運行情報を含んだ経路情報、サービス利用者に提供することができる。
【００４３】
そのため、サービス利用者は、一旦経路情報を取得してから、必要に応じて運行情報を確認し、乗換で利用する路線や駅が正常に運行しているかどうか、確認する必要が無い。また、サービス利用者が地理に不案内な場合でも、検索される情報には不通路線や不通区間に該当する経路は含まれないので、乗換で利用する駅が運行情報とどのような関連を持つのか理解する必要も無く、提供される経路情報から適切な情報を得ることができる。
【図面の簡単な説明】
【図１】乗換案内サーバの機能ブロック図である。
【図２】本発明の実施形態に係る乗換案内システムのシステム構成図である。
【図３】不通区間設定の画面表示例である。
【図４】不通区間設定の画面表示例である。
【図５】不通区間設定の画面表示例である。
【図６】運行情報を乗換情報データベースに登録する手順を示すフローチャートである。
【図７】乗換案内情報の作成手順を示すフローチャートである。
【図８】運行情報がない場合の乗換案内情報の表示例（Ｗｅｂ版）である。
【図９】運行情報がある場合の乗換案内情報の表示例（Ｗｅｂ版）である。
【図１０】運行情報がない場合の乗換案内情報の表示例（ＰＤＡ版）である。
【図１１】運行情報がある場合の乗換案内情報の表示例（ＰＤＡ版）である。
【図１２】乗換案内情報の表示例（携帯電話版）である。
【図１３】運行情報がある場合の詳細な乗換案内情報の表示例（携帯電話版）である。
【符号の説明】
１　乗換案内サーバ
２　運行情報提供端末
３　ユーザ端末
４　ネットワーク
５　通信制御部
６　運行情報受信部
７　運行情報更新部
８　乗換情報データベース
９　乗換条件受信部
１０　乗換経路検索部
１１　乗換情報作成部
【図１】
2004058734.tif 000003
【図２】
2004058734.tif 000004
【図３】
2004058734.tif 000005
【図４】
2004058734.tif 000006
【図５】
2004058734.tif 000007
【図６】
2004058734.tif 000008
【図７】
2004058734.tif 000009
【図８】
2004058734.tif 000010
【図９】
2004058734.tif 000011
【図１０】
2004058734.tif 000012
【図１１】
2004058734.tif 000013
【図１２】
2004058734.tif 000014
【図１３】
2004058734.tif 000015